(57)【要約】【課題】  監視装置に対して異常を通知する被監視装置で、例えばモデム側の設備が整備されなくとも、監視を可能とする。【解決手段】  被監視装置１では、第１の監視装置３側との接続状態１２を制御して第１の監視装置に対して異常を通知する接続状態異常通知手段と、第２の監視装置７に対する回線接続情報を用いて第２の監視装置と回線５を介して接続するためのモデム４を制御して回線を介して第２の監視装置に対して異常を通知するモデム異常通知手段と、第２の監視装置に対する回線接続情報を設定する回線接続情報設定手段を備え、異常通知制御手段が、回線接続情報設定手段による第２の監視装置に対する回線接続情報が非設定である場合には、モデムに関する異常が発生したときに接続状態異常通知手段による第１の監視装置に対する異常の通知を非実行とする。【選択図】  図１
2005086312.tif 000002
【特許請求の範囲】
【請求項１】
監視装置に対して異常を通知する被監視装置において、
第１の監視装置側との接続状態を制御して第１の監視装置に対して異常を通知する接続状態異常通知手段と、
第２の監視装置に対する回線接続情報を用いて第２の監視装置と回線を介して接続するためのモデムを制御して回線を介して第２の監視装置に対して異常を通知するモデム異常通知手段と、
第２の監視装置に対する回線接続情報を設定する回線接続情報設定手段と、
回線接続情報設定手段による第２の監視装置に対する回線接続情報が非設定である場合には、モデムに関する異常が発生したときに接続状態異常通知手段による第１の監視装置に対する異常の通知を非実行とする異常通知制御手段と、
を備えたことを特徴とする被監視装置。
【発明の詳細な説明】
【技術分野】
【０００１】
本発明は、監視装置に対して異常を通知する被監視装置に関し、特に、例えばモデム側の設備が整備されなくとも、監視が可能な被監視装置に関する。
【背景技術】
【０００２】
例えば、ＲＦ（Radio Frequency）光伝送システムでは、ＲＦ光伝送装置を監視することが行われる（例えば、特許文献１参照。）。
具体的には、ＲＦ光伝送装置では、自装置（当該ＲＦ光伝送装置）の運用状態を監視して、異常がある場合にはその旨を上位局へ報告する。
【０００３】
また、ＲＦ光伝送装置では、このような状態報告をするための手段として、例えば、上位局である遠隔監視装置と接続されたＢＴＳに対する接点出力を制御する手段が用いられるとともに、一般の電話網を介してモデムにより上位局である遠隔監視装置と接続する手段が用いられる。
【０００４】
ここで、接点出力を制御して異常を通知する手段では、例えば、異常時には接点を閉の状態とし、正常時には接点を開の状態とする。
また、モデムを介して異常を通知する手段では、異常が発生した場合には、ＲＦ光伝送装置側から発信を行ってその異常状態を報告する。この場合、モデムについては、ＲＦ光伝送装置が制御を行うために、モデムの異常を監視する機能が必要となる。
【０００５】
【特許文献１】特開２０００−１５１５１１号公報
【発明の開示】
【発明が解決しようとする課題】
【０００６】
しかしながら、従来のＲＦ光伝送装置では、例えば、運用の形態によっては、一般の電話網を使用せずに接点出力のみで遠隔監視を行いたいような場合があるが、このような場合においても、モデムにより遠隔監視装置と接続することが可能な環境を整備しないと、モデムの異常を検出してしまって、接点出力が常時異常を出力してしまうため、実質的には接点出力での監視ができなくなってしまうといった不具合があった。
【０００７】
本発明は、このような従来の課題を解決するために為されたもので、例えばモデム側の設備が整備されなくとも、監視が可能な被監視装置を提供することを目的とする。
【課題を解決するための手段】
【０００８】
上記目的を達成するため、本発明に係る被監視装置では、次のような構成により、監視装置（第１の監視装置や、第２の監視装置）に対して異常を通知する。
すなわち、接続状態異常通知手段が、第１の監視装置側との接続状態を制御して、第１の監視装置に対して異常を通知する機能を有する。また、モデム異常通知手段が、第２の監視装置に対する回線接続情報を用いて、第２の監視装置と回線を介して接続するためのモデムを制御して、回線を介して第２の監視装置に対して異常を通知する機能を有する。また、回線接続情報設定手段が、第２の監視装置に対する回線接続情報を設定する機能を有する。そして、異常通知制御手段が、回線接続情報設定手段による第２の監視装置に対する回線接続情報が非設定である（つまり、設定されていない）場合には、モデムに関する異常が発生したときに、接続状態異常通知手段による第１の監視装置に対する異常の通知を非実行とする（つまり、実行しないようにする）。
【０００９】
従って、第２の監視装置に対する回線接続情報が設定されていない場合には、モデムに関する異常が発生したときに、接続状態の制御により第１の監視装置に対して異常を通知することが行われないため、例えば、モデム側の設備が整備されないような場合においても、第１の監視装置に対して異常を通知することが可能であり、監視されることを可能とすることができる。
【００１０】
ここで、第１の監視装置や、第２の監視装置としては、それぞれ、種々なものが用いられてもよい。
また、第１の監視装置と、第２の監視装置としては、例えば、異なる装置が用いられてもよく、或いは、共通な装置が用いられてもよい。
また、被監視装置から監視装置に対して通知する異常としては、種々なものが用いられてもよく、例えば、被監視装置（自体）に関する異常や、被監視装置と接続されるモデムに関する異常などが用いられる。
【００１１】
また、接続状態異常通知手段では、例えば、第１の監視装置側として第１の監視装置と接続線を介して直接的に接続されて、当該接続線を介して第１の監視装置に対して送信出力する状態を制御して、第１の監視装置に対して異常を通知する。
或いは、接続状態異常通知手段では、例えば、第１の監視装置と接続される監視中継装置を第１の監視装置側として、当該監視中継装置と接続線を介して直接的に接続されて、当該接続線を介して当該監視中継装置に対して送信出力する状態を制御して、当該監視中継装置を介して第１の監視装置に対して異常を通知する。なお、監視中継装置としては、種々なものが用いられてもよい。
【００１２】
一構成例として、接続状態異常通知手段は、第１の監視装置との接点出力の状態を制御して第１の監視装置に対して異常を通知する接点出力異常通知手段から構成され、或いは、監視中継装置との接点出力の状態を制御して当該監視中継装置を介して第１の監視装置に対して異常を通知する接点出力異常通知手段から構成される。接点出力異常通知手段は、第１の監視装置或いは監視中継装置とのインタフェースの接点を正常時には開状態とする一方、異常時には閉状態とすることにより第１の監視装置に対して異常を通知する。
【００１３】
また、第２の監視装置に対する回線接続情報としては、種々な情報が用いられてもよく、例えば、第２の監視装置の電話番号の情報や識別情報のように、モデム及び回線を介して第２の監視装置と接続するための情報が用いられる。
【００１４】
また、回線としては、種々なものが用いられてもよく、例えば、一般の公衆回線などを用いることが可能である。
また、モデムとしては、種々なものが用いられてもよく、例えば、一般のモデムを用いることが可能である。
【００１５】
モデム異常通知手段では、例えば、第２の監視装置に対する回線接続情報を用いてモデムを制御して回線を介して第２の監視装置と接続して、異常を通知するための情報をモデム及び回線を介して第２の監視装置に対して送信することにより、回線を介して第２の監視装置に対して異常を通知する。なお、異常を通知するための情報としては、種々な情報が用いられてもよい。
【００１６】
また、回線接続情報設定手段により第２の監視装置に対する回線接続情報を設定する態様としては、種々な態様が用いられてもよく、例えば、外部の装置から被監視装置に設定するような態様が用いられてもよく、或いは、被監視装置において設定するような態様が用いられてもよい。また、第２の監視装置に対する回線接続情報としては、例えば、装置が自動的に設定するような態様が用いられてもよく、或いは、ユーザからの指示に応じて装置が設定するような態様が用いられてもよい。
【００１７】
また、回線接続情報設定手段により第２の監視装置に対する回線接続情報が設定されているか或いは設定されていないか（つまり、非設定であるか）を判定する仕方としては、一例として、第２の監視装置に対する回線接続情報が所定のメモリの記憶領域に記憶されている場合には設定されていると判定する一方、記憶されていない場合には設定されていないと判定するような仕方を用いることができる。
【００１８】
また、モデムに関する異常としては、種々なものが用いられてもよく、例えば、モデム異常通知手段による異常の通知処理にとって支障となる、モデムの異常や、被監視装置の異常や、回線の異常などを用いることができる。
【００１９】
また、異常通知制御手段によりモデムに関する異常が発生したときに接続状態異常通知手段による第１の監視装置に対する異常の通知を非実行とする仕方としては、種々な仕方が用いられてもよく、例えば、もともとモデムに関する異常の発生を検出しないような仕方が用いられてもよく、或いは、モデムに関する異常の発生を検出するが、モデムに関する異常の発生を検出しても、接続状態異常通知手段による第１の監視装置に対する異常の通知を行わないようにする仕方が用いられてもよい。
【００２０】
以下で、更に、本発明に係る構成例を示す。
本発明に係る被監視装置では、一構成例として、異常通知制御手段は、回線接続情報設定手段による第２の監視装置に対する回線接続情報が非設定である（つまり、設定されていない）場合には、異常が発生したときに、モデム異常通知手段による第２の監視装置に対する異常の通知を非実行とする（つまり、実行しないようにする）。
ここで、異常としては、種々なものが用いられてもよい。
【００２１】
本発明に係る被監視装置では、一構成例として、異常通知制御手段は、回線接続情報設定手段による第２の監視装置に対する回線接続情報が非設定である（つまり、設定されていない）場合には、モデムに関する異常以外の所定の異常が発生したときに接続状態異常通知手段により第１の監視装置に対して異常を通知する。
ここで、モデムに関する異常以外の所定の異常としては、種々なものが用いられてもよく、例えば、モデムに関する異常以外の全ての異常が用いられてもよく、或いは、モデムに関する異常以外の異常の中で特定の異常のみが用いられてもよい。
【００２２】
本発明に係る被監視装置では、一構成例として、回線接続情報設定手段により第２の監視装置に対する回線接続情報が設定されている場合には、モデムに関する異常が発生したときに接続状態異常通知手段により第１の監視装置に対して異常を通知する。
ここで、モデムに関する異常としては、種々なものが用いられてもよい。
【００２３】
本発明に係る被監視装置では、一構成例として、回線接続情報設定手段により第２の監視装置に対する回線接続情報が設定されている場合には、異常が発生したときに接続状態異常通知手段により第１の監視装置に対して異常を通知する。
ここで、異常としては、種々なものが用いられてもよい。
【００２４】
本発明に係る被監視装置では、一構成例として、回線接続情報設定手段により第２の監視装置に対する回線接続情報が設定されている場合には、モデムに関する異常以外の所定の異常が発生したときにモデム異常通知手段により回線を介して第２の監視装置に対して異常を通知する。
ここで、モデムに関する異常以外の所定の異常としては、種々なものが用いられてもよい。
【００２５】
本発明に係る被監視装置では、一構成例として、第１の監視装置は、遠隔の監視装置である。また、一構成例として、第２の監視装置は、遠隔の監視装置である。また、一構成例として、監視中継装置は、ＢＴＳ装置である。
【００２６】
本発明に係る被監視装置は、一構成例として、ＲＦ光伝送装置などの光伝送装置であり、ＲＦ光伝送システムなどの光伝送システムに適用される。
なお、光伝送装置や、光伝送システムとしては、それぞれ、種々なものが用いられてもよい。一例として、移動体通信システムの基地局装置や移動局装置などにより通信されるＲＦ信号などを光信号として光伝送装置により中継伝送などする光伝送システムなどに適用することが可能である。
【００２７】
本発明に係る被監視装置では、例えば、モデムが外部に備えられるような構成が用いられてもよく、或いは、モデムの機能が内部に備えられるような構成が用いられてもよい。
【発明の効果】
【００２８】
以上説明したように、本発明に係る被監視装置によると、第１の監視装置側との接続状態を制御して第１の監視装置に対して異常を通知する機能と、第２の監視装置に対する回線接続情報を用いて第２の監視装置と回線を介して接続するためのモデムを制御して回線を介して第２の監視装置に対して異常を通知する機能と、第２の監視装置に対する回線接続情報を設定する機能を備え、第２の監視装置に対する回線接続情報が非設定である場合には、モデムに関する異常が発生したときに接続状態の制御による第１の監視装置に対する異常の通知を非実行とするようにしたため、例えば、モデム側の設備が整備されなくとも、監視を可能とすることができる。
【発明を実施するための最良の形態】
【００２９】
本発明に係る一実施例を図面を参照して説明する。
図１には、本発明を適用したＲＦ光伝送装置１を備えたＲＦ光伝送システムの監視システムの構成例を示してある。
本例の監視システムには、監視される対象となる装置（被監視装置）であるＲＦ光伝送装置１と、ＢＴＳ装置２と、遠隔監視装置（第１の遠隔監視装置）３と、モデム４と、例えば電話回線から構成された一般の公衆回線５と、モデム６と、遠隔監視装置（第２の遠隔監視装置）７が備えられている。
【００３０】
ＲＦ光伝送装置１は、ＲＦ信号を伝送するための例えば接続線から構成されたＲＦ信号インタフェース（ＲＦ信号Ｉ／Ｆ）１１を介してＢＴＳ装置２と接続されているとともに、異常の通知を行うための例えば接続線から構成された接点インタフェース（接点Ｉ／Ｆ）１２を介してＢＴＳ装置２と接続されている。
ＢＴＳ装置２は、例えばＲＦ光伝送装置１からの異常通知を通知などするための専用線１３を介して、第１の遠隔監視装置３と接続されている。
【００３１】
また、ＲＦ光伝送装置１は、例えばＲＳ２３２Ｃの接続線１４を介して、モデム４と接続されている。
モデム４は、公衆回線５と接続されている。
第２の遠隔監視装置７は、例えばＲＳ２３２Ｃの接続線１５を介して、モデム６と接続されている。
モデム６は、公衆回線５と接続されている。
【００３２】
次に、ＲＦ光伝送装置１により第１の遠隔監視装置３や第２の遠隔監視装置７に対して異常を通知する構成や動作の一例を示す。
ＲＦ光伝送装置１は、自装置（当該ＲＦ光伝送装置１）の運用状態を監視して、異常がある場合には、その旨を上位局である第１の遠隔監視装置３や第２の遠隔監視装置７へ報告する。
【００３３】
ＲＦ光伝送装置１では、上記のような状態報告をするための機能の一つとして、ＢＴＳ装置２に対する接点出力を制御する機能を備えている。
この接点出力を制御する機能では、接点インタフェース１２について、例えば、異常時には接点を閉じた状態とする一方、正常時には接点を開いた状態とする。この接点出力を制御する機能では、例えば、地気が用いられている。
【００３４】
ＢＴＳ装置２では、接点インタフェース１２のＲＦ光伝送装置１側の接点が閉じた状態と開いた状態とでＲＦ光伝送装置１からの出力が異なることに基づいて、ＲＦ光伝送装置１から正常状態が通知されているのか或いは異常状態が通知されているのかを判定することができる。また、ＢＴＳ装置２は、このようなＲＦ光伝送装置１の監視結果を、専用線１３を介して、第１の遠隔監視装置３に対して通知する。ＲＦ光伝送装置１の監視結果としては、例えば、正常である旨を示す情報や、異常が発生した旨を示す情報などが用いられる。
【００３５】
ＲＦ光伝送装置１では、上記のような状態報告をするための機能の他の一つとして、モデム４により一般の電話網（公衆回線）５及びモデム６を介して第２の遠隔監視装置７と接続する機能を備えている。
このモデム４を制御する機能では、異常が発生した場合には、ＲＦ光伝送装置１側から発信を行って第２の遠隔監視装置７と接続し、異常状態を第２の遠隔監視装置７に対して報告する。このとき、モデム４はＲＦ光伝送装置１が制御を行うため、ＲＦ光伝送装置１にはモデム４の異常を監視する機能が備えられる。
【００３６】
次に、ＲＦ光伝送装置１により第１の遠隔監視装置３に対する異常通知処理や第２の遠隔監視装置７に対する異常通知処理を制御する構成や動作の一例を示す。
まず、第２の遠隔監視装置７の電話番号の登録について説明する。
本例では、このような電話番号の情報は、第１の遠隔監視装置３や第２の遠隔監視装置７やモニタ器からＲＦ光伝送装置１に対して設定することができる。ＲＦ光伝送装置１では、設定された電話番号を、自装置（当該ＲＦ光伝送装置１）内の不揮発性メモリに格納する。なお、モニタ器は、ＲＦ光伝送装置１と接続して当該ＲＦ光伝送装置１の装置状態の確認や設定などを行うことが可能な装置である。
【００３７】
次いで、モデム４の状態監視について説明する。
ＲＦ光伝送装置１では、自装置（当該ＲＦ光伝送装置１）内の不揮発性メモリに第２の遠隔監視装置７に対する電話番号が登録されている場合には、接続されたモデム４の状態を監視する。接続状態の監視としては、例えば、ＤＲ（データセットレディ）信号を用いて、ＤＲ信号がオフ（ＯＦＦ）である場合にはモデム４が異常であるとする。また、モデム４に対する命令であるＡＴコマンドを発行したときに、正常なリザルトコード（“ＯＫ”）を受信することができない場合にも、モデム４が異常であるとする。
【００３８】
そして、ＲＦ光伝送装置１では、このようなモデム４の異常を検出した場合についても、他の装置異常を検出した場合と同様に、接点インタフェース１２の接点出力を閉状態とすることにより、ＢＴＳ装置２及び第１の遠隔監視装置３に対して異常を通知する。
【００３９】
一方、ＲＦ光伝送装置１では、自装置（当該ＲＦ光伝送装置１）内の不揮発性メモリに第２の遠隔監視装置７に対する電話番号が登録されていない場合には、例えば、当該電話番号が登録されている場合と同様にモデム４に対する制御は行うが、モデム４の異常を検出しても、接点インタフェース１２の接点出力を閉状態とすることを禁止する。つまり、ＲＦ光伝送装置１では、モデム４の異常を接点出力の制御によりＢＴＳ装置２や第１の遠隔監視装置３へ通知することを実行しない。
【００４０】
また、ＲＦ光伝送装置１では、自装置（当該ＲＦ光伝送装置１）に異常が発生した場合においても、モデム４及び一般の電話網（公衆回線）５を介して第２の遠隔監視装置７に接続することや状態報告をすることを禁止する。
【００４１】
なお、上記図１には、本例のＲＦ光伝送装置１を備えた監視システムについて、監視側へ異常を通知するために、接点インタフェースとモデム４側のインタフェース（モデムインタフェース：モデムＩ／Ｆ）の両方を使用することが可能な状態における使用可能な装置接続の例が示されている。
また、図２には、本例のＲＦ光伝送装置１を備えた監視システムについて、監視側へ異常を通知するために、接点インタフェースのみを使用することが可能な状態における使用可能な装置接続の例が示されている。
【００４２】
以上のように、本例の監視システムにおけるＲＦ光伝送装置１では、装置の運用状態を監視する監視機能と、装置の異常を報知するための情報を接点インタフェース１２へ出力する接点インタフェース機能と、モデム４及び公衆回線５を介して第２の遠隔監視装置７と接続するためのモデムインタフェース機能を有した構成において、第２の遠隔監視装置７に対する電話番号が入力されている場合には、モデム４の状態を監視するとともに装置状態の監視結果を第２の遠隔監視装置７に対して報告し、また、第２の遠隔監視装置７に対する電話番号が入力されていない場合には、モデム４の状態を監視せずに、接点インタフェース１２でのみ装置状態を出力する。
【００４３】
具体的には、本例のＲＦ光伝送装置１では、モデム４と地気（接点出力）との２つの機能のそれぞれで監視を行うことが可能な構成において、例えば従来では地気のみの監視としたくてもモデムを接続しないとモデムの異常となって地気は異常を示す情報を出力してしまう構成であったのに対して、本例では、モデム４の異常を検出しない設定を設けることにより、地気のみの監視が可能となった。また、本例では、モデム４の異常を検出しない場合の条件として、所定の電話番号が無入力であるという条件を用いており、つまり所定の電話番号が０桁であるという条件を用いており、例えば、従来と比べてハードウエアの構成を変更することなく実現することが可能である。
【００４４】
従って、本例の監視システムにおけるＲＦ光伝送装置１では、第２の遠隔監視装置７に対する電話番号の登録状態によって、モデム４の異常を知らせるための接点出力の制御を禁止することにより、モデム４を接続せずに接点出力のみで装置の遠隔監視を可能とすることができる。このため、本例のＲＦ光伝送装置１では、例えば、一般電話網（公衆回線）５での監視設備を整備しなくとも、接点出力のみで遠隔監視を行うことができる。
【００４５】
なお、本例では、ＲＦ光伝送装置１により被監視装置が構成されており、第１の遠隔監視装置３や第２の遠隔監視装置７により監視装置が構成されており、ＢＴＳ装置２により監視中継装置が構成されている。
また、本例のＲＦ光伝送装置（被監視装置）１では、第１の遠隔監視装置３側のＢＴＳ装置２との接点インタフェース１２による接続状態を制御して第１の遠隔監視装置３に対して異常を通知する機能により接続状態異常通知手段が構成されており、第２の遠隔監視装置７の回線接続情報である電話番号情報を用いてモデム４を制御して回線５を介して第２の遠隔監視装置７に対して異常を通知する機能によりモデム異常通知手段が構成されており、第２の遠隔監視装置７の回線接続情報である電話番号情報を設定する機能により回線接続情報設定手段が構成されており、第２の遠隔監視装置７の回線接続情報である電話番号情報が設定されていない場合にはモデム４に関する異常を検出せずに接点インタフェース１２によるモデム４に関する異常の通知を実行しないようにする機能により異常通知制御手段が構成されている。
【００４６】
ここで、本発明に係る被監視装置や監視装置や監視システムなどの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００４７】
また、本発明に係る被監視装置や監視装置や監視システムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４８】
【図１】本発明の一実施例に係るＲＦ光伝送装置を備えた監視システムの接点インタフェース及びモデムインタフェースに関する構成例を示す図である。
【図２】本発明の一実施例に係るＲＦ光伝送装置を備えた監視システムの接点インタフェースに関する構成例を示す図である。
【符号の説明】
【００４９】
１・・ＲＦ光伝送装置、  ２・・ＢＴＳ装置、
３、７・・遠隔監視装置、  ４、６・・モデム、  ５・・公衆回線、
１１・・ＲＦ信号インタフェース、  １２・・接点インタフェース、
１３・・専用線、  １４、１５・・接続線、
【図１】
2005086312.tif 000003
【図２】
2005086312.tif 000004